(57)【要約】    【課題】アラインメントマークの鮮明な像を得る。    【解決手段】較正基板２６ｃと撮像装置１４との間を、較正基板２６ｃに垂直な方向に相対移動させて、較正基板２６ｃ上の較正マーク３０ｃを撮像し、較正マーク３０ｃの中の外側白の境界線６1の像と内側白の境界線６2の像の中心点９1、９2間の距離と移動方向とを測定し、較正基板２６ｃの移動方向と光軸３との間の傾き角度θと傾き方向とを求め、傾き角度θがゼロになるように修正し、較正基板２６ｃと撮像装置１４とが相対移動したときの境界線６1又は６2の大きさが極値を与える相対位置から、合焦面３５の位置を求め、処理基板とマスクとを被写界深度の範囲内に配置して位置合わせを行う。【選択図】    図８
2015010900.tif 000002
【特許請求の範囲】
【請求項１】
筺体と、
前記筺体に設けられ、マスクアラインメントマークが形成されたマスクが配置されるマスク配置部と、
前記筺体に設けられ、基板アラインメントマークが形成された処理基板が前記マスク配置部に配置された前記マスクと対面するように配置される基板配置部と、
前記マスク配置部と前記基板配置部とのうち、一方を移動対象装置とし、他方を静止対象装置とすると、前記筺体に対して前記移動対象装置を移動させるアラインメント用移動装置と、
前記マスク配置部に配置された前記マスクの前記マスクアラインメントマークと、前記基板配置部に配置された前記処理基板の前記基板アラインメントマークとを撮像し、アラインメント用撮像結果を求める撮像装置と、
前記アラインメント用撮像結果が入力される制御装置と、を有し、
前記制御装置は、前記静止対象装置を前記筺体に対して静止させながら、前記アラインメント用撮像結果から、前記マスクの像と前記処理基板の像との間が所定の位置関係になるように、前記アラインメント用移動装置を動作させ、前記移動対象装置を移動させる位置合わせ装置であって、
前記静止対象装置と前記撮像装置とを相対的に移動させる較正用移動装置を有し、
前記撮像装置に光を入射させる白部と入射させない黒部とが、前記白部を外側にして隣接した環状の第一の境界線と、
前記白部と前記黒部とが前記白部を内側にして隣接した環状の第二の境界線とを有する角度較正マークが設けられた較正基板が前記静止対象装置に配置され、
前記制御装置には、前記較正用移動装置によって、前記静止対象装置と前記撮像装置とを、前記角度較正マークが位置する平面である主配置面に対して垂直な方向に相対的に移動させながら、前記撮像装置によって前記角度較正マークを撮像して角度較正撮像結果を得る角度較正撮像手順と、
前記角度較正撮像結果に含まれる、前記第一の境界線の像の中心である第一の中心点と、前記第二の境界線の像の中心である第二の中心点との間の離間距離と離間方向と、前記角度較正撮像手順での前記静止対象装置と前記撮像装置との相対的な移動距離と移動方向とから、前記撮像装置の光軸と前記主配置面とが成す傾き角度と傾き方向とを求める角度算出手順、とが記憶された位置合わせ装置。
【請求項２】
前記第一、第二の境界線のうち、少なくとも一方を位置較正マークとし、
前記制御装置には、前記較正用移動装置によって、前記静止対象装置と前記撮像装置とを、前記主配置面に対して垂直な方向に相対的に移動させながら、前記撮像装置によって前記位置較正マークを撮像して位置較正撮像結果を得る位置較正撮像手順と、
前記位置較正撮像結果に含まれる前記位置較正マークの像の大きさと、前記位置較正撮像手順での、前記静止対象装置と前記撮像装置との相対的な移動距離と移動方向とから、前記位置較正マークの像の大きさが極値になるときの、前記静止対象装置と前記撮像装置との間の相対的な位置関係を求める距離算出手順とが記憶された請求項１記載の位置合わせ装置。
【請求項３】
前記第一、第二の境界線は、半径が異なる円形であり、同心円状に配置された請求項１又は請求項２のいずれか１項記載の位置合わせ装置。
【請求項４】
前記第一の境界線の像の重心が前記第一の中心点にされ、
前記第二の境界線の像の重心が前記第二の中心点にされる請求項１乃至請求項３のいずれか１項記載の位置合わせ装置。
【請求項５】
請求項１乃至請求項４のいずれか１項記載の位置合わせ装置を有し、
前記筺体には、内部に真空雰囲気が形成される真空槽が用いられ、
前記マスク配置部と前記基板配置部とは、前記真空槽の内部に配置された真空装置。
【請求項６】
前記真空槽の内部には成膜源が配置され、前記成膜源から放出された薄膜材料は、前記マスク配置部に配置された前記マスクの開口を通過して、前記基板配置部に配置された前記処理基板の表面に到達するように構成された請求項５記載の真空装置。
【請求項７】
マスクアラインメントマークが形成されたマスクをマスク配置部に配置し、基板アラインメントマークが形成された処理基板を基板配置部に配置する主配置工程と、
前記マスク配置部に配置された前記マスクの前記マスクアラインメントマークと、前記基板配置部に配置された前記処理基板の前記基板アラインメントマークとを、撮像装置によって撮像し、アラインメント用撮像結果を得る主撮像工程と、
前記マスク配置部と前記基板配置部とのうち、一方を移動対象装置とし、他方を静止対象装置とすると、前記アラインメント用撮像結果から、前記マスクアラインメントマークの像と前記基板アラインメントマークの像とが所定の相対的な位置関係になるように、前記静止対象装置に対して前記移動対象装置を移動させる位置合わせ工程と、
を有するアラインメント方法であって、
前記撮像装置に光を入射させる白部と入射させない黒部とが、前記白部を外側にして隣接した環状の第一の境界線と、
前記白部と前記黒部とが前記白部を内側にして隣接した環状の第二の境界線とを有する角度較正マークが設けられた較正基板を前記静止対象装置に配置する角度較正配置工程と、
前記静止対象装置と前記撮像装置とを、前記角度較正マークが位置する平面である主配置面に対して垂直な方向に相対的に移動させながら、前記撮像装置によって前記角度較正マークを撮像して角度較正撮像結果を得る角度較正撮像工程と、
前記角度較正撮像結果に含まれる、前記第一の境界線の像の中心である第一の中心点と、前記第二の境界線の像の中心である第二の中心点との間の離間距離と離間方向と、前記角度較正撮像工程での前記静止対象装置と前記撮像装置との相対的な移動距離と移動方向とから、前記撮像装置の光軸と前記主配置面とが成す傾き角度と傾き方向とを求める角度算出工程と、
を有し、
前記位置合わせ工程の前に、前記角度算出工程で求めた前記傾き角度と前記傾き方向から、前記傾き角度が直角になるように、前記撮像装置と前記静止対象装置とを相対的に移動させる角度修正工程と、
を有する位置合わせ方法。
【請求項８】
前記第一、第二の境界線のうち、少なくとも一方を位置較正マークとし、
前記角度修正工程の後、前記位置合わせ工程の前に、
前記静止対象装置と前記撮像装置とを、前記主配置面に対して垂直な方向に相対的に移動させながら、前記撮像装置によって前記位置較正マークを撮像して位置較正撮像結果を得る位置較正撮像工程と、
前記位置較正撮像結果に含まれる前記位置較正マークの像の大きさと、前記位置較正撮像工程での前記静止対象装置と前記撮像装置との相対的な移動量及びその移動方向との関係から、前記位置較正マークの像の大きさが極値になるときの、前記静止対象装置と前記撮像装置との間の相対的な位置関係を求める距離算出工程と、
前記距離算出工程で求めた前記位置関係から、前記マスク配置部に配置された前記マスクの前記マスクアラインメントマークと、前記基板配置部に配置された前記処理基板の前記基板アラインメントマークとを、被写界深度の範囲内に位置させる位置修正工程と、
を有する請求項７記載の位置合わせ方法。
【請求項９】
前記第一、第二の境界線は、半径が異なる円形であり、同心円状に配置された請求項７又は請求項８のいずれか１項記載の位置合わせ方法。
【請求項１０】
筺体と、
前記筺体に設けられ、マスクアラインメントマークが形成されたマスクが配置されるマスク配置部と、
前記筐体内に配置され、基板アラインメントマークが形成された処理基板が前記マスク配置部に配置された前記マスクと対面するように配置される基板配置部と、
前記マスク配置部と前記基板配置部とのうち、一方を移動対象装置とし、他方を静止対象装置とすると、前記筐体に対して前記移動対象装置を移動させるアラインメント用移動装置と、
前記マスク配置部に配置された前記マスクの前記マスクアラインメントマークと、前記基板配置部に配置された前記処理基板の前記基板アラインメントマークとを撮像し、アラインメント用撮像結果を求める撮像装置と、
前記アラインメント用撮像結果が入力される制御装置と、を有し、
前記制御装置は、前記静止対象装置を前記筐体に対して静止させながら、前記アラインメント用撮像結果から、前記マスクの像と前記処理基板の像との間が所定の位置関係になるように前記アラインメント用移動装置を動作させ、前記移動対象装置を移動させる位置合わせ装置であって、
前記静止対象装置と前記撮像装置とを相対的に移動させる較正用移動装置を有し、
前記撮像装置に光を入射させる白部と、入射させない黒部とのうち、隣接して位置する前記白部と前記黒部との環状の境界線を有する位置較正マークが設けられた較正基板が前記静止対象装置に配置され、
前記制御装置には、前記較正用移動装置によって、前記静止対象装置と前記撮像装置とを、前記位置較正マークが位置する平面である副配置面に対して垂直な方向に相対的に移動させながら、前記撮像装置によって前記位置較正マークを撮像して位置較正撮像結果を得る位置較正撮像手順と、
前記位置較正撮像結果に含まれる前記位置較正マークの像の大きさと、前記位置較正撮像手順での、前記静止対象装置と前記撮像装置との相対的な移動距離と移動方向とから、前記位置較正マークの像の大きさが極値になるときの、前記静止対象装置と前記撮像装置との間の相対的な位置関係を求める距離算出手順とが記憶された位置合わせ装置。
【請求項１１】
前記位置較正マークの前記境界線は、円形にされた請求項１０記載の位置合わせ装置。
【請求項１２】
請求項１０又は請求項１１のいずれか１項記載の位置合わせ装置を有し、
前記筺体には、内部に真空雰囲気が形成される真空槽が用いられ、
前記マスク配置部と前記基板配置部とは、前記真空槽の内部に配置された真空装置。
【請求項１３】
前記真空槽内には成膜源が配置され、前記成膜源から放出された薄膜材料は、前記マスク配置部に配置された前記マスクの貫通孔を通過して、前記基板配置部に配置された前記処理基板の表面に到達するように構成された請求項１２記載の真空装置。
【請求項１４】
マスクアラインメントマークが形成されたマスクをマスク配置部に配置し、基板アラインメントマークが形成された処理基板を基板配置部に配置する主配置工程と、
前記マスク配置部に配置された前記マスクの前記マスクアラインメントマークと、前記基板配置部に配置された前記処理基板の前記基板アラインメントマークとを、撮像装置によって撮像し、アラインメント用撮像結果を得る主撮像工程と、
前記マスク配置部と前記基板配置部とのうち、一方を移動対象装置とし、他方を静止対象装置とすると、前記アラインメント用撮像結果から、前記マスクアラインメントマークの像と前記基板アラインメントマークの像とが所定の相対的な位置関係になるように、前記静止対象装置に対して前記移動対象装置を移動させる位置合わせ工程と、
を有するアラインメント方法であって、
前記撮像装置に光を入射させる白部と入射させない黒部とのうち、隣接する前記白部と前記黒部との境界線を有する位置較正マークが設けられた較正基板を前記静止対象装置に配置する副位置較正配置工程と、
前記静止対象装置と前記撮像装置とを、前記位置較正マークが位置する平面である副配置面に対して垂直な方向に相対的に移動させながら、前記撮像装置によって前記位置較正マークを撮像して位置較正撮像結果を得る副位置較正撮像工程と、
前記位置較正撮像結果に含まれる前記位置較正マークの像の大きさと、前記副位置較正撮像工程での、前記静止対象装置と前記撮像装置との相対的な移動距離と移動方向とから、前記位置較正マークの像の大きさが極値になるときの、前記静止対象装置と前記撮像装置との間の相対的な位置関係を求める副距離算出工程と、
前記副距離算出工程で求めた前記位置関係から、前記マスク配置部に配置された前記マスクの前記マスクアラインメントマークと、前記基板配置部に配置された前記処理基板の前記基板アラインメントマークとを、被写界深度の範囲内に位置させる副位置修正工程と、
を有する位置合わせ方法。
【発明の詳細な説明】
【技術分野】
【０００１】
本発明は、アラインメント技術に関し、特に、アラインメントマークを鮮明に撮像するための技術に関する。
【背景技術】
【０００２】
基板の表面にパターニングされた薄膜を形成する方法には、基板の全面に薄膜を均一に形成した後、表面にレジスト膜を形成し、レジスト膜の開口下に露出する薄膜をエッチング除去して所望パターンの薄膜を得る方法(エッチング法)と、基板表面に所定パターンの貫通孔が形成されたシャドウマスクを配置し、成膜材料の微小粒子に貫通孔を通過させ、貫通孔のパターンに従った薄膜を得る方法(シャドウマスク法)と、成膜材料の液滴を吐出し、基板の所望位置に着弾させてパターニングされた薄膜を得る方式(インクジェット法)等がある。
【０００３】
シャドウマスク法では、シャドウマスクのメンテナンスが必要であるが、エッチング工程が不要であることから、特に、エッチング液によって表面がダメージを受ける基板に適している。
シャドウマスク法では、形成するパターンの精度は、１３０ppi(pixel per inch)が限界と言われているが、近年のモバイルディスプレイに使用される有機ＥＬディスプレイでは、３００〜４００ppi以上の高精細化が求められており、基板とシャドウマスクとの位置合わせ精度は、１μｍ以内にすることが必要になっている。
【０００４】
ところで、基板とシャドウマスクとを位置合わせする際には、アラインメントパターンで反射された光を撮像装置に入射させ、撮像装置内部のレンズ装置で光学処理をし、拡大像を撮像装置上に結像させており、電気信号に変換された撮像結果が、コンピュータによって解析され、基板とシャドウマスクとが所定の位置関係に成るように移動される。
【０００５】
一般に、レンズ装置では、レンズ装置の被写界深度の範囲(深度範囲)内に位置している撮像対象物に合焦し、鮮明な像を得ることができ、像の境界がくっきりしていることから、高精度の位置合わせを行うことができる。
【０００６】
しかしながら、位置合わせの際には基板とシャドウマスクとを相対的に移動させるため、基板上のアラインメントマークとシャドウマスク上のアラインメントマークとは、被写界深度の深さ方向に離間しており、両方のアラインメントマークを被写界深度の範囲内に配置することが困難である。従って、鮮明な像を得ることができず、正確な位置合わせをすることは困難である。
【先行技術文献】
【特許文献】
【０００７】
【特許文献１】特開２００３−３０６７６１号公報
【発明の概要】
【発明が解決しようとする課題】
【０００８】
本発明は、上記従来技術の問題点を解決する発明であり、鮮明な画像が得られる位置を求め、正確な位置合わせができる技術を提供するものである。
【課題を解決するための手段】
【０００９】
撮像対象物の形状が平面状である場合は、撮像対象物の表面が、撮像装置の光軸と垂直である場合が、像の歪みが無く、鮮明な像を得ることができる。
また、撮像装置には、被写界深度内に、撮像対象物を最も鮮明に撮像できる合焦面が位置しており、アラインメントマークが配置された位置が合焦面に近いほど、鮮明な像を得ることができる。
【００１０】
本発明では、表面が平面状の較正マークを用いて、光軸の傾き角度と、合焦面の位置とを求めており、光軸の傾き角度を修正し、また、基板アラインメントマークとマスクアラインメントマークとが、合焦面の位置又は合焦面に近い位置に配置されるように調整しており、本発明は、筺体と、前記筺体に設けられ、マスクアラインメントマークが形成されたマスクが配置されるマスク配置部と、前記筺体に設けられ、基板アラインメントマークが形成された処理基板が前記マスク配置部に配置された前記マスクと対面するように配置される基板配置部と、前記マスク配置部と前記基板配置部とのうち、一方を移動対象装置とし、他方を静止対象装置とすると、前記筺体に対して前記移動対象装置を移動させるアラインメント用移動装置と、前記マスク配置部に配置された前記マスクの前記マスクアラインメントマークと、前記基板配置部に配置された前記処理基板の前記基板アラインメントマークとを撮像し、アラインメント用撮像結果を求める撮像装置と、前記アラインメント用撮像結果が入力される制御装置と、を有し、前記制御装置は、前記静止対象装置を前記筺体に対して静止させながら、前記アラインメント用撮像結果から、前記マスクの像と前記処理基板の像との間が所定の位置関係になるように、前記アラインメント用移動装置を動作させ、前記移動対象装置を移動させる位置合わせ装置であって、前記静止対象装置と前記撮像装置とを相対的に移動させる較正用移動装置を有し、前記撮像装置に光を入射させる白部と入射させない黒部とが、前記白部を外側にして隣接した環状の第一の境界線と、前記白部と前記黒部とが前記白部を内側にして隣接した環状の第二の境界線とを有する角度較正マークが設けられた較正基板が前記静止対象装置に配置され、前記制御装置には、前記較正用移動装置によって、前記静止対象装置と前記撮像装置とを、前記角度較正マークが位置する平面である主配置面に対して垂直な方向に相対的に移動させながら、前記撮像装置によって前記角度較正マークを撮像して角度較正撮像結果を得る角度較正撮像手順と、前記角度較正撮像結果に含まれる、前記第一の境界線の像の中心である第一の中心点と、前記第二の境界線の像の中心である第二の中心点との間の離間距離と離間方向と、前記角度較正撮像手順での前記静止対象装置と前記撮像装置との相対的な移動距離と移動方向とから、前記撮像装置の光軸と前記主配置面とが成す傾き角度と傾き方向とを求める角度算出手順、とが記憶された位置合わせ装置である。
また、本発明は位置合わせ装置であって、前記第一、第二の境界線のうち、少なくとも一方を位置較正マークとし、前記制御装置には、前記較正用移動装置によって、前記静止対象装置と前記撮像装置とを、前記主配置面に対して垂直な方向に相対的に移動させながら、前記撮像装置によって前記位置較正マークを撮像して位置較正撮像結果を得る位置較正撮像手順と、前記位置較正撮像結果に含まれる前記位置較正マークの像の大きさと、前記位置較正撮像手順での、前記静止対象装置と前記撮像装置との相対的な移動距離と移動方向とから、前記位置較正マークの像の大きさが極値になるときの、前記静止対象装置と前記撮像装置との間の相対的な位置関係を求める距離算出手順とが記憶された位置合わせ装置である。
また、本発明は位置合わせ装置であって、前記第一、第二の境界線は、半径が異なる円形であり、同心円状に配置された位置合わせ装置である。
また、本発明は位置合わせ装置であって、前記第一の境界線の像の重心が前記第一の中心点にされ、前記第二の境界線の像の重心が前記第二の中心点にされる位置合わせ装置である。
また、本発明は上記いずれかの位置合わせ装置を有し、前記筺体には、内部に真空雰囲気が形成される真空槽が用いられ、前記マスク配置部と前記基板配置部とは、前記真空槽の内部に配置された真空装置である。
また、本発明は真空装置であって、前記真空槽の内部には成膜源が配置され、前記成膜源から放出された薄膜材料は、前記マスク配置部に配置された前記マスクの開口を通過して、前記基板配置部に配置された前記処理基板の表面に到達するように構成された真空装置である。
また、本発明は、マスクアラインメントマークが形成されたマスクをマスク配置部に配置し、基板アラインメントマークが形成された処理基板を基板配置部に配置する主配置工程と、前記マスク配置部に配置された前記マスクの前記マスクアラインメントマークと、前記基板配置部に配置された前記処理基板の前記基板アラインメントマークとを、撮像装置によって撮像し、アラインメント用撮像結果を得る主撮像工程と、前記マスク配置部と前記基板配置部とのうち、一方を移動対象装置とし、他方を静止対象装置とすると、前記アラインメント用撮像結果から、前記マスクアラインメントマークの像と前記基板アラインメントマークの像とが所定の相対的な位置関係になるように、前記静止対象装置に対して前記移動対象装置を移動させる位置合わせ工程と、を有するアラインメント方法であって、前記撮像装置に光を入射させる白部と入射させない黒部とが、前記白部を外側にして隣接した環状の第一の境界線と、前記白部と前記黒部とが前記白部を内側にして隣接した環状の第二の境界線とを有する角度較正マークが設けられた較正基板を前記静止対象装置に配置する角度較正配置工程と、前記静止対象装置と前記撮像装置とを、前記角度較正マークが位置する平面である主配置面に対して垂直な方向に相対的に移動させながら、前記撮像装置によって前記角度較正マークを撮像して角度較正撮像結果を得る角度較正撮像工程と、前記角度較正撮像結果に含まれる、前記第一の境界線の像の中心である第一の中心点と、前記第二の境界線の像の中心である第二の中心点との間の離間距離と離間方向と、前記角度較正撮像工程での前記静止対象装置と前記撮像装置との相対的な移動距離と移動方向とから、前記撮像装置の光軸と前記主配置面とが成す傾き角度と傾き方向とを求める角度算出工程と、を有し、前記位置合わせ工程の前に、前記角度算出工程で求めた前記傾き角度と前記傾き方向から、前記傾き角度が直角になるように、前記撮像装置と前記静止対象装置とを相対的に移動させる角度修正工程と、を有する位置合わせ方法である。
また、本発明は位置合わせ方法であって、前記第一、第二の境界線のうち、少なくとも一方を位置較正マークとし、前記角度修正工程の後、前記位置合わせ工程の前に、前記静止対象装置と前記撮像装置とを、前記主配置面に対して垂直な方向に相対的に移動させながら、前記撮像装置によって前記位置較正マークを撮像して位置較正撮像結果を得る位置較正撮像工程と、前記位置較正撮像結果に含まれる前記位置較正マークの像の大きさと、前記位置較正撮像工程での前記静止対象装置と前記撮像装置との相対的な移動量及びその移動方向との関係から、前記位置較正マークの像の大きさが極値になるときの、前記静止対象装置と前記撮像装置との間の相対的な位置関係を求める距離算出工程と、前記距離算出工程で求めた前記位置関係から、前記マスク配置部に配置された前記マスクの前記マスクアラインメントマークと、前記基板配置部に配置された前記処理基板の前記基板アラインメントマークとを、被写界深度の範囲内に位置させる位置修正工程と、を有する位置合わせ方法である。
また、本発明は位置合わせ方法であって、前記第一、第二の境界線は、半径が異なる円形であり、同心円状に配置された位置合わせ方法である。
また、本発明は、筺体と、前記筺体に設けられ、マスクアラインメントマークが形成されたマスクが配置されるマスク配置部と、前記筐体内に配置され、基板アラインメントマークが形成された処理基板が前記マスク配置部に配置された前記マスクと対面するように配置される基板配置部と、前記マスク配置部と前記基板配置部とのうち、一方を移動対象装置とし、他方を静止対象装置とすると、前記筐体に対して前記移動対象装置を移動させるアラインメント用移動装置と、前記マスク配置部に配置された前記マスクの前記マスクアラインメントマークと、前記基板配置部に配置された前記処理基板の前記基板アラインメントマークとを撮像し、アラインメント用撮像結果を求める撮像装置と、前記アラインメント用撮像結果が入力される制御装置と、を有し、前記制御装置は、前記静止対象装置を前記筐体に対して静止させながら、前記アラインメント用撮像結果から、前記マスクの像と前記処理基板の像との間が所定の位置関係になるように前記アラインメント用移動装置を動作させ、前記移動対象装置を移動させる位置合わせ装置であって、前記静止対象装置と前記撮像装置とを相対的に移動させる較正用移動装置を有し、前記撮像装置に光を入射させる白部と、入射させない黒部とのうち、隣接して位置する前記白部と前記黒部との環状の境界線を有する位置較正マークが設けられた較正基板が前記静止対象装置に配置され、前記制御装置には、前記較正用移動装置によって、前記静止対象装置と前記撮像装置とを、前記位置較正マークが位置する平面である副配置面に対して垂直な方向に相対的に移動させながら、前記撮像装置によって前記位置較正マークを撮像して位置較正撮像結果を得る位置較正撮像手順と、前記位置較正撮像結果に含まれる前記位置較正マークの像の大きさと、前記位置較正撮像手順での、前記静止対象装置と前記撮像装置との相対的な移動距離と移動方向とから、前記位置較正マークの像の大きさが極値になるときの、前記静止対象装置と前記撮像装置との間の相対的な位置関係を求める距離算出手順とが記憶された位置合わせ装置である。
また、本発明は位置合わせ装置であって、前記位置較正マークの前記境界線は、円形にされた位置合わせ装置である。
また、本発明は上記いずれかの位置合わせ装置を有し、前記筺体には、内部に真空雰囲気が形成される真空槽が用いられ、前記マスク配置部と前記基板配置部とは、前記真空槽の内部に配置された真空装置である。
また、本発明は真空装置であって、前記真空槽内には成膜源が配置され、前記成膜源から放出された薄膜材料は、前記マスク配置部に配置された前記マスクの貫通孔を通過して、前記基板配置部に配置された前記処理基板の表面に到達するように構成された真空装置である。
また、本発明は、マスクアラインメントマークが形成されたマスクをマスク配置部に配置し、基板アラインメントマークが形成された処理基板を基板配置部に配置する主配置工程と、前記マスク配置部に配置された前記マスクの前記マスクアラインメントマークと、前記基板配置部に配置された前記処理基板の前記基板アラインメントマークとを、撮像装置によって撮像し、アラインメント用撮像結果を得る主撮像工程と、前記マスク配置部と前記基板配置部とのうち、一方を移動対象装置とし、他方を静止対象装置とすると、前記アラインメント用撮像結果から、前記マスクアラインメントマークの像と前記基板アラインメントマークの像とが所定の相対的な位置関係になるように、前記静止対象装置に対して前記移動対象装置を移動させる位置合わせ工程と、を有するアラインメント方法であって、前記撮像装置に光を入射させる白部と入射させない黒部とのうち、隣接する前記白部と前記黒部との境界線を有する位置較正マークが設けられた較正基板を前記静止対象装置に配置する副位置較正配置工程と、前記静止対象装置と前記撮像装置とを、前記位置較正マークが位置する平面である副配置面に対して垂直な方向に相対的に移動させながら、前記撮像装置によって前記位置較正マークを撮像して位置較正撮像結果を得る副位置較正撮像工程と、前記位置較正撮像結果に含まれる前記位置較正マークの像の大きさと、前記副位置較正撮像工程での、前記静止対象装置と前記撮像装置との相対的な移動距離と移動方向とから、前記位置較正マークの像の大きさが極値になるときの、前記静止対象装置と前記撮像装置との間の相対的な位置関係を求める副距離算出工程と、前記副距離算出工程で求めた前記位置関係から、前記マスク配置部に配置された前記マスクの前記マスクアラインメントマークと、前記基板配置部に配置された前記処理基板の前記基板アラインメントマークとを、被写界深度の範囲内に位置させる副位置修正工程と、を有する位置合わせ方法である。
【００１１】
＜合焦面の位置を求める原理＞
以上の構成の本発明の動作原理を説明すると、先ず、図６(ａ)、(ｂ)を参照し、同図(ａ)、(ｂ)の符合２６ａ、２６ｂは、較正マーク３０ａ、３０ｂを有する較正基板を示している。較正マーク３０ａ、３０ｂは、較正マーク３０ａ、３０ｂに照射された光を反射や透過させ、撮像装置に入射させる白部３１ａ、３２ｂと、反射、透過又は吸収によって撮像装置に入射させない黒部３２ａ、３１ｂとを有しており、隣接する白部３１ａ、３２ｂと黒部３２ａ、３１ｂとの間では、境界線６ａ、６ｂが形成されている。
【００１２】
その境界線６ａ、６ｂには、白部３１ａが黒部３２ａを取り囲んだ環状の境界線６ａ(図６(ａ))と、黒部３１ｂが白部３２ｂを取り囲んだ環状の境界線６ｂ(図６(ｂ))とがあり、それら境界線６ａ、６ｂから成る較正マーク３０ａ、３０ｂが、被写界深度範囲の外部位置で撮像装置によって撮像された場合は、撮像結果中の較正マーク３０ａ、３０ｂの像では、白部３１ａ、３２ｂが膨潤して黒部３２ａ、３１ｂを浸食している。
【００１３】
撮像装置に像が形成される較正マーク３０ａ、３０ｂの表面が位置する平面を配置面とすると、配置面が撮像装置の光軸(撮像装置の対物レンズの光軸、以下同じ。)に対して垂直であるときは、境界線６ａ、６ｂの像は、均一に膨潤しており、図６(ｃ)に示すように、外側が白部３１ａの境界線６ａから成る較正マーク３０ａの像３０ａ’は膨潤した部分７ａだけ大きさが小さくなり、半径は膨潤前の半径ｒaよりも小さくなる。他方、図６(ｄ)に示すように、内側が白部３２ｂの境界線６ｂから成る較正マーク３０ｂの像３０ｂ’では膨潤した部分７ｂの分だけ大きさが大きくなり、半径は、膨潤前の半径ｒbよりも大きくなる。
【００１４】
光軸と垂直な平面のうち、ピントが最も合う合焦面は、被写界深度の深さ方向のほぼ中央に位置しており、配置面(撮像装置に像が形成される較正マーク３０ａ、３０ｂの表面が位置する平面)が合焦面に位置するときには、撮像結果中の較正マーク３０ａ、３０ｂの像には、白部３１ａ、３２ｂは最も膨潤しない。
【００１５】
撮像する較正マーク３０ａ、３０ｂが、合焦面よりも撮像装置側に位置する場合と、合焦面よりも撮像装置とは反対側に位置する場合の両方で膨潤が発生するが、撮像結果中の膨潤量は、配置面と合焦面との間の距離が大きくなるほど大きくなる。
【００１６】
配置面が撮像装置の光軸に対して垂直であり、撮像装置と較正基板２６ａ、２６ｂとの間が、光軸に沿って相対移動できる場合に、合焦面の位置を原点として相対移動の距離を横軸にとり、撮像結果中の較正マーク３０ａ、３０ｂの像の半径を縦軸にとり、距離に対する半径の大きさのグラフを作成すると、外側が白部３１ａの境界線６ａから成る較正マーク３０ａの像３０ａ’では、図５(ａ)に示すように原点の位置で半径が極大値となり、他方、内側が白部３２ｂの境界線６ｂから成る較正マーク３０ｂの像３０ｂ’では、図５(ｂ)に示すように、半径は原点の位置で極小値となる。
従って、較正基板２６ａ、２６ｂを光軸に沿った方向に移動させ、極値となったときの、撮像装置と配置面との間の位置関係を検出すれば、合焦面の位置が分かる。
【００１７】
なお、較正マーク３０ａ、３０ｂの厚みは薄いので、較正マーク３０ａ、３０ｂの表面と、較正基板２６ａ、２６ｂの表面とを同じ面であるとすることもできる。
較正マーク３０ａ、３０ｂが、撮像装置の光軸と垂直な状態では、円形の較正マーク３０ａ、３０ｂの像は、膨潤しても円形であるから、較正マーク３０ａ、３０ｂの中心点５ａ、５ｂが光軸上に位置している場合は、較正マーク３０ａ、３０ｂが光軸に沿って移動しても、像中の中心点５ａ、５ｂの位置は移動しない。
しかし、配置面と光軸とが垂直ではないと、環状の境界線の中心は移動する。
【００１８】
＜傾き角度を求める原理＞
図７(ａ)の符合３０ｃは、二個の環状の境界線６1、６2から成る較正マークを示しており、境界線６1、６2は円形であり、同じ中心点５ｃを中心にして同心に配置されており、外側の境界線６1で外周図形が形成され、その内側の境界線６2で内周図形が形成されている。
【００１９】
この較正マーク３０ｃの表面が位置する平面も配置面とすると、図８(ａ)の符合３３A、３３O、３３Bは配置面であり、各配置面３３A、３３O、３３Bは、撮像装置１４の光軸３と垂直にされ、撮像装置１４から異なる三箇所の距離の位置に配置されている。
【００２０】
較正基板２６ｃと撮像装置１４の間は、較正基板２６ｃの表面に垂直な方向である較正移動方向に相対的に移動するようにされており、ここでは、光軸３と較正移動方向とが平行にされているものとすると、この較正マーク３０ｃが設けられた較正基板２６ｃと、撮像装置１４との間は、光軸３と平行な方向に相対移動する。
【００２１】
ここで、図８(ａ)に示された三個の較正基板２６ｃのうち、中央位置の較正基板２６ｃの配置面３３Oは、合焦面と一致するようにされているものとし、他の配置面３３A、３３Bは被写界深度の範囲外であり、合焦面よりも撮像装置１４に近い位置と遠い位置にそれぞれ配置されているものとする。
【００２２】
二個の同心状の境界線６1、６2のうち、一方の境界線６1は外側に白部３１ｃが位置し、内側に黒部３２1が位置し、黒部３２1を取り囲む図形が形成されており、他方の境界線６2は内側に白部３２2が位置し、外側に黒部３２1が位置し、白部３２2を取り囲む図形が形成されている。
【００２３】
二個の境界線６1、６2のうち、外側が白部３１ｃ、内側が黒部３２1の境界線６1を、外側白の境界線６1と呼び、内側が白部３２2、外側が黒部３２1の境界線６2を、内側白の境界線６2と呼ぶと、この較正マーク３０ｃでは、内側白の境界線６2が内側に位置し、外側白の境界線６1が外側に位置しているが、その逆に配置した較正マークであってもよい。
【００２４】
撮像装置１４は、各配置面３３A、３３O、３３Bのうち、何れの配置面３３A、３３O、３３Bに位置する較正マーク３０ｃも撮像できるようにされており、被写界深度の範囲外の配置面３３A、３３Bに位置する較正マーク３０ｃを撮像すると、図７(ｂ)に示すように、撮像結果中の較正マーク３０ｃの像３０ｃ’では、白部３１ｃ、３２2が膨潤し、外側白の境界線６1の像の半径は、元の半径ｒ1よりも小さくなり、外側白の境界線６1の像は、中心方向に移動しており、内側白の境界線６2の像の半径は、元の半径ｒ2よりも大きくなり、内側白の境界線６2の像は、放射方向外側に移動し、その結果、像３０ｃ’では黒部３２1の幅は、元の幅Ｗ1よりも小さい幅Ｗ2になる。
符合７1は、外側白の境界線６1が放射方向内側に移動したように見せる膨潤部分であり、符合７2は、内側白の境界線６2が放射方向外側に移動したように見せる膨潤部分である。
【００２５】
なお、この較正マーク３０ｃでは、配置面３３A、３３O、３３Bと光軸３とが垂直なので、白部３１ｃ、３２2は各境界線６1、６2の全周に亘ってそれぞれ均等に膨潤し、境界線６1、６2の像の同心は維持されるから、中心点５ｃ’(図７(ｂ))は、合焦面に位置する較正マーク３０ｃの像の中心点５ｃ(図７(ａ))と同じ位置に観察される。
【００２６】
図８(ａ)、(ｂ)では、較正基板２６ｃと撮像装置１４との間は、較正基板２６ｃの表面に垂直な方向である較正移動方向に相対的に移動するようにされている。図８(ａ)では、その移動方向は光軸３と平行な方向であり、図８(ｂ)の符合Ｔは、中心点５ｃを通り、移動方向と平行であって、較正マーク３０ｃの表面と垂直な垂線を示しており、較正基板２６ｃと撮像装置１４との間の相対的な移動方向は垂線Ｔに沿った方向であり、垂線Ｔと光軸３とは平行ではなく、傾き角度θ(θ＞０)で交差しているものとする。
【００２７】
同図(ｂ)の符合３５は合焦面を示しており、同図(ｂ)に示された三個の較正基板２６ｃの配置面３４A、３４、３４Bは、合焦面３５と傾き角度θで交差しており、中央の配置面３４を有する較正基板２６ｃは、較正マーク３０ｃの中心点５ｃが合焦面３５に位置し、かつ、中心点５ｃが光軸３と交差するように配置されており、他の配置面３４A、３４Bに位置する較正マーク３０ｃは、被写界深度の範囲外に位置し、中央の配置面３４よりも撮像装置１４に近い位置と遠い位置にそれぞ配置されているものとする。
【００２８】
ここで、合焦面３５に着目すると、撮像装置１４が撮像できる空間は、合焦面３５によって、撮像装置１４側と、その反対側に分けることができ、中央位置の配置面３４を有する較正基板２６ｃの較正マーク３０ｃの境界線６1、６2は、中心点５ｃが合焦面３５に位置しており、その境界線６1、６2の半分(図中左側)は撮像装置１４側に位置し、他の半分(図中右側)は反対側に位置している。
【００２９】
垂線Ｔと光軸３とを含む平面は、外側白の境界線６1と二箇所で交差し、また、内側白の境界線６2とも二箇所で交差しており、境界線６1、６2の全周が、撮像装置１４側、又は、その反対側に位置する時は、境界線６1、６2の中で、一方の交差点が合焦面３５から最遠の位置となり、他方の交差点が最近の位置となる。
【００３０】
撮像装置１４で境界線６1、６2を撮像すると、図９(ｂ)の像３０ｃ’で示されるように、図面左右の交差点位置で、白部３１ｃ、３２2が最も膨潤して観察されており、一本の境界線６1又は６2の撮像装置１４側の部分と反対側の部分とは、中心点５ｃ（図７（ａ））を中心とした回転対称の関係にあるから、一本の境界線６1又は６2では、左右二箇所の交差点と合焦面３５との距離は等しく、膨潤量はほぼ同じであるから、像３０ｃ’の境界線６1、６2の中心(ここでは重心)は同じ位置にあるように観察される。
【００３１】
次に、中心点５ｃが光軸３と交差する配置面３４に境界線６1、６2が位置するときを移動前とし、境界線６1、６2の全周のうち、移動前に、撮像装置１４側に位置する部分を撮像装置側部分とし、反対側に位置する部分を反対側部分とすると、移動して、境界線６1、６2の全周が撮像装置１４側に位置するとき(較正マーク３０ｃが撮像装置１４に近い配置面３４Aに位置するとき)は、撮像装置側部分が反対側部分よりも合焦面３５から遠方になり、境界線６1、６2の全周が反対側に位置するとき(較正マーク３０ｃが撮像装置１４に遠い配置面３４Bに位置するとき)は、反対側部分が撮像装置側部分よりも合焦面３５から遠方になる。
【００３２】
白部３１ｃ、３２2の膨潤量は、合焦面３５との間の距離が大きくなると大きくなるため、一本の境界線６1又は６2のうち、二個の交差点は、一方が合焦面３５から遠方になっている方の側の部分に位置し、他方が、遠方の部分よりも合焦面に近い部分に位置しているから、二個の交差点間では、膨潤量に相違が生じる。
【００３３】
外側白の境界線６1の像では、白部３１ｃが膨潤した部分は、中心点５ｃに近接する方向に移動したように見え、内側白の境界線６2の像では、白部３２2が膨潤した部分は、中心点５ｃから離間する方向に移動したように見える。
【００３４】
この移動は、一方の交差点の像が左方に移動すると、中心点５ｃを中心にして、反対側の他方の交差点の像では右方に移動することになるから、一本の境界線６1又は６2の二個の交差点の像の移動方向は互いに逆向きになる。
一本の境界線６1又は６2の二個の交差点の移動量には差があるから、一本の境界線６1又は６2の全体は、移動量の大きな交差点の像の移動方向に移動して見えることになる。
【００３５】
外側白の境界線６1と内側白の境界線６2とでは、移動方向は互いに逆向きになるから、中心点５ｃを光軸３が通るときは、外側白の境界線６1の像の中心点と内側白の境界線６2の像の中心点とは、同じ中心点５ｃに位置しているが、互いに逆向きに移動すると、外側白の境界線６1の像の中心点９1と内側白の境界線６2の像の中心点９2とは離間する。
【００３６】
離間した中心点９1、９2間の距離は、膨潤量が大きくなると、大きくなる。
離間した中心点９1、９2の相対的な位置関係は、合焦面３５に対する境界線６1、６2の相対的な位置関係によるから、傾き角度θと、傾き方向と、中心点９1、９2間の距離及び位置関係と、撮像装置１４と較正基板２６ｃとの間の相対位置と、の関係を予め測定しておき、アラインメントを行う前に、中心点９1、９2間の距離及び移動方向を、撮像装置１４と較正基板２６ｃとの間の相対位置に関連づけて測定すれば、傾き角度θの大きさと傾き方向を求めることができる。
【００３７】
境界線６1、６2の像から、像中の境界線６1、６2の位置を特定するためには、撮像装置１４で撮像したときの白部３１ｃ、３２2と黒部３２1との間の光量の相違から算出したり、像中の位置による光量の変化量の値から求めることもできる。
【００３８】
撮像結果中で、白部３１ｃ、３２2の膨潤によって変形された境界線６1、６2の像の形状が決定されると、その形状の図形の重心を求めることができるので、その形状の重心を中心点９1、９2の位置として求められ、また、半径も求められる。
【００３９】
合焦面３５については、傾き角度θの大きさと傾き方向とを求め、撮像装置１４又は較正基板２６ｃを配置する装置(静止対象装置)のいずれか一方又は両方を移動させ、傾き角度θをゼロにすることができる。
その後、境界線６1、６2の少なくともいずれか一方の半径の大きさの極値を求めることで、合焦面３５の位置や、撮像装置１４の被写界深度の範囲と位置を求めることができる。
【発明の効果】
【００４０】
静止対象装置の移動方向と、光軸の移動方向との間の傾き角度をゼロにすることができるので、像の歪みを無くすことができる。
合焦面の位置を求めることができるので、処理基板とマスクとを被写界深度の範囲内に配置して位置合わせを行うことができる。
【図面の簡単な説明】
【００４１】
【図１】本発明の真空装置の一例
【図２】その真空装置に較正基板を配置した状態
【図３】(ａ)：その真空装置にマスクと処理基板とを配置した状態    (ｂ)：マスクと処理基板とを位置合わせしている状態    (ｃ)：処理基板に薄膜を成長させている状態
【図４】マスクアラインメントマークと基板アラインメントマークの付近の拡大図
【図５】(ａ)：外側白の円形の境界線の合焦面からの距離と半径の関係を示すグラフ    (ｂ)：内側白の円形の境界線の合焦面からの距離と半径の関係を示すグラフ
【図６】(ａ)：外側白の円形の境界線から成る較正マーク    (ｂ)：内側白の円形の境界線から成る較正マーク    (ｃ)：外側白の較正マークの像    (ｄ)：内側白の較正マークの像
【図７】(ａ)：同心の二個の境界線から成る較正マーク    (ｂ)その較正マークの像
【図８】(ａ)：光軸と垂直な較正マークを撮像装置で撮像する状態    (ｂ)：光軸に対して垂直でない較正マークを撮像装置で撮像する状態
【図９】光軸に対して垂直でない較正マークを撮像した像であって、(ａ)：合焦面よりも撮像装置に近い状態で撮像    (ｂ)：中心点が合焦面に位置する状態で撮像    (ｃ)：合焦面よりも撮像装置から遠い状態で撮像
【発明を実施するための形態】
【００４２】
図１の符合１０は、本発明の第一例の真空装置を示しており、真空槽１１を有している。真空槽１１の内部には、基板配置部２３と、マスク配置部２５とが配置されている。
基板配置部２３の上方に位置する真空槽１１の天井には、挿入孔１２が複数個設けられており、各挿入孔１２は、それぞれベロウズ装置１８で覆われ、気密にされて、挿入孔１２を通って大気が真空槽１１の内部に浸入しないようにされてている。
【００４３】
各ベロウズ装置１８には、上端が真空槽１１の外部に位置し、下端が真空槽１１の内部に位置するように、支持棒１７が一本ずつ気密に挿入されている。真空槽１１の外部雰囲気と真空槽１１の内部雰囲気とは、ベロウズ装置１８によって分離されている。
【００４４】
各ベロウズ装置１８は、金属製の底板と、底板上に設けられた金属製の伸縮部(ベロウズ)で構成されており、ベロウズ装置１８の底板には、一端と他端が真空槽１１の外側と内側に位置するように、支持棒１７が底板に取り付けられており、支持棒１７の下部は、挿入孔１２に挿入されており、基板配置部２３は、支持棒１７の真空槽１１内に位置する下端に設けられている。
【００４５】
真空槽１１の底面には、マスク支持体２４が立設されており、マスク配置部２５は、各マスク支持体２４の上端に設けられている。
この真空装置１０は成膜装置であり、真空槽１１の内部には成膜源１６が配置されている。ここでは、成膜源１６は、真空槽１１の底面側に配置されており、成膜源１６よりも上方の位置に基板配置部２３が配置され、成膜源１６と基板配置部２３との間の高さに、マスク配置部２５が位置するようにされている。図１の状態では、基板配置部２３は、マスク配置部２５よりも上方位置で真空槽１１に対して静止されている。
【００４６】
この真空装置１０では、マスク配置部２５と基板配置部２３のうち、一方を静止対象装置にし、他方を移動対象装置にして、静止対象装置に対して移動対象装置を移動させるようにされている。
【００４７】
真空槽１１の外部には、アラインメント用移動装置２１が配置されており、各支持棒１７は、アラインメント用移動装置２１により、ベロウズ装置１８を伸縮又は変形させながら、上下方向への移動と、水平面内での移動とができるように構成されている。
【００４８】
アラインメント用移動装置２１は、制御装置２０に接続され、制御装置２０によって動作を制御されており、制御装置２０から入力される信号に従って、支持棒１７を移動させる。
他方、マスク配置部２５は、成膜源１６よりも上方位置で静止されており、従って、マスク配置部２５が静止対象装置にされ、基板配置部２３が移動対象装置にされている。
【００４９】
次に、真空槽１１の天井には、透明なガラスで封止された観察窓１３が気密に設けられており、真空槽１１の天井上に配置された撮像装置１４によって、観察窓１３を介して、真空槽１１の内部を撮像できるようになっている。
【００５０】
真空槽１１には真空排気装置２９が接続されており、真空装置１０で真空処理を行う際には、真空排気装置２９を動作させ、真空槽１１の内部を真空排気し、真空槽１１の内部に真空雰囲気を形成する。
真空槽１１の内部には、真空雰囲気の形成前に、又は形成後に、マスクを搬入し、マスク配置部２５上に配置し、真空雰囲気にされた真空槽１１の内部に処理基板を搬入し、基板配置部２３上に配置する。
【００５１】
図３(ａ)の符合２８は、マスク配置部２５の上に配置されたマスクを示しており、符合２７は、基板配置部２３上に配置された処理基板を示している。
マスク２８と処理基板２７とは、マスク配置部２５と基板配置部２３とによって、周辺部分がそれぞれ支持されており、処理基板２７は成膜源１６の上方に配置され、マスク２８は、成膜源１６と処理基板２７との間に配置されている。
【００５２】
図４は、マスク２８と処理基板２７との部分拡大図であり、処理基板２７は、ガラス板等の透明な基板本体４６の表面に、遮光材料によって形成された遮光部４８と、遮光部４８が形成されていない部分である透光部４７とが所定パターンに配置されており、処理基板２７と光軸３とが交差する部分を含む位置に、遮光部４８と透光部４７とが所定パターンに配置された基板アラインメントマーク４５が、四角形状の基板本体４６の離間した二箇所以上の位置に、それぞれ形成されている。
【００５３】
マスク２８は、成膜材料の微粒子等を遮断する金属薄板等のマスク本体４２と、マスク本体４２に形成され、成膜材料の微粒子等を通過させる貫通孔４３とを有しており、入射する光を反射するマスク本体４２の表面には、遮光材料から成る薄膜部４４が所定パターンで配置されており、薄膜部４４と、薄膜部４４の周囲に露出するマスク本体４２の表面とで、マスクアラインメントマーク４１が構成されている。
【００５４】
撮像装置１４は、筒体５２の内部にレンズ装置５３が配置されている。レンズ装置５３は、光が入射する前方部分が、撮像する処理基板２７やマスク２８が配置される方向に向けられている。
入射した光が光学処理されながら通過する後方部分の、レンズ装置５３の光軸３と交差する位置には、撮像素子５４が配置されており、光学処理された光は、撮像素子５４に入射する。
【００５５】
撮像素子５４は、信号処理回路５５に接続されており、レンズ装置５３によって撮像対象物を投影した像が撮像素子５４上に撮像結果として形成されると、撮像結果は、撮像素子５４で電気信号に変換され、信号処理回路５５を介して、制御装置２０に出力される。
【００５６】
基板アラインメントマーク４５とマスクアラインメントマーク４１とは、互いに対面する位置に配置されており、透明な基板本体４６を介して、基板アラインメントマーク４５とマスクアラインメントマーク４１とが、撮像装置１４によって撮像される。
【００５７】
マスク２８と処理基板２７との位置合わせを行う際には、マスク配置部２５と基板配置部２３とを相対的に近接移動させ、先ず、図３(ｂ)に示すように、マスク２８と処理基板２７とを所定距離だけ離間するように配置する。
【００５８】
次に、撮像装置１４によって、基板アラインメントマーク４５とマスクアラインメントマーク４１とを撮像対象物として撮像し、撮像結果を制御装置２０に出力する。
制御装置２０は、撮像結果中に含まれる基板アラインメントマーク４５の像と、マスクアラインメントマーク４１の像との位置関係を認識する。
【００５９】
マスク配置部２５と基板配置部２３とが相対移動されると、マスク配置部２５に配置されたマスク２８と、基板配置部２３に配置された処理基板２７とには、マスク配置部２５と基板配置部２３との相対移動と同じ相対移動がされるようになっており、制御装置２０は、撮像結果中の基板アラインメントマーク４５の像とマスクアラインメントマーク４１の像とが、予め設定された位置関係になるように、撮像結果中で認識した像の相対位置に基づいて、マスク配置部２５と基板配置部２３とを相対的に移動させる。
【００６０】
例えば、撮像結果に含まれるマスクアラインメントマーク４１の像と基板アラインメントマーク４５の像との間の相対位置関係と、予め設定されたマスクアラインメントマーク４１と基板アラインメントマーク４５との間の位置関係とを比較し、誤差量、誤差方向、及び誤差角度を求め、誤差を無くすように、マスク２８と処理基板２７とを、距離を変えずに相対的に移動させる。
【００６１】
ここでは、マスク配置部２５が静止対象装置であり、基板配置部２３が移動対象装置であり、マスク２８が静止して処理基板２７が移動するが、マスク配置部２５を移動対象装置にし、基板配置部２３を静止対象装置にして、処理基板２７を静止させてマスク２８を移動させるようにしてもよい。
【００６２】
このような位置合わせを行う前に、上述の傾き角度θを求め、その値がゼロになるように、静止対象装置と撮像装置１４との位置関係を修正しておけば、位置合わせの際に、基板アラインメントマーク４５とマスクアラインメントマーク４１とは、互いに平行で、光軸３と垂直な平面にそれぞれ位置しており、その平面内に位置した状態で、相対的な位置が変更されるので、相対移動に伴う像のぼけは発生しない。
【００６３】
また、位置合わせを行う前に、上述したように合焦面３５の位置を求め、基板アラインメントマーク４５とマスクアラインメントマーク４１との両方が撮像装置１４の被写界深度の範囲内に配置されるように、マスク２８が配置されるマスク配置部２５と処理基板２７が配置される基板配置部２３の、合焦面３５に対する位置を調整しておけば、位置合わせの際に撮像した境界線６1、６2の像が鮮明になるから、正確な位置合わせを行うことができる。
【００６４】
このように、鮮明な像に基づいて、誤差を無くすように基板アラインメントマーク４５とマスクアラインメントマーク４１とを相対移動させ、誤差が所定量よりも小さくなったところで予め設定された相対位置関係になったものとして位置合わせ工程を終了させる。
【００６５】
次いで、マスク配置部２５と基板配置部２３との間の相対位置関係を維持しながら近接させ、マスク２８と処理基板２７との間の距離を小さくする。
ここでは、図３(ｃ)に示すように、マスク２８と処理基板２７とは密着されており、マスク２８と処理基板２７とが相対的に静止した状態で、マスク２８の下方に位置する成膜源１６から、成膜材料の粒子を放出させると、粒子はマスク２８の貫通孔４３を通過し、貫通孔４３の底面に露出する処理基板２７の表面に到達して薄膜が成長する。
【００６６】
成膜材料の粒子は、成膜材料の蒸気であってもよいし、成膜材料のターゲットがスパッタリングされて放出されたスパッタリング粒子であってもよい。この場合、成膜源１６を真空槽１１内の天井側に配置し、マスク２８と処理基板２７とを、この順序で、成膜源１６の下方に配置することができる。
【００６７】
薄膜が所定膜厚に成長したところで、成膜材料の粒子が処理基板２７の表面に到達しないようにしてマスク２８と処理基板２７とを離間させ、成膜された処理基板２７を真空槽１１の外部に搬出する。
他方、未成膜の処理基板２７を真空槽１１の内部に搬入し、マスク２８との間で位置合わせをし、薄膜を形成する。
【００６８】
このように、連続して複数の処理基板２７に薄膜を形成する際には、最初の処理基板２７とマスク２８とを位置合わせする前に、角度修正工程と位置修正工程とを行っておくと、撮像装置１４の光軸３に対してマスク２８と処理基板２７とが垂直になり、且つ、マスク２８と処理基板２７とを、撮像装置１４の被写界深度の範囲内に位置させることができるから、撮像装置１４によって基板アラインメントマーク４５とマスクアラインメントマーク４１とを撮像して位置合わせをする際には、境界線６1、６2の明確な像を得て、正確な位置合わせを行うことができる。
【００６９】
図１の真空装置１０では、図２に示すように、真空槽１１の内部には処理基板２７を配置せず、静止対象装置(ここではマスク配置部２５)上に、較正マーク３０ｃが設けられた較正基板２６ｃを配置する。
その際、較正基板２６ｃは、較正マーク３０ｃが撮像装置１４の撮像範囲内に位置するように配置しておき、撮像装置１４によって、較正マーク３０ｃを撮像できるようにしておく。
【００７０】
撮像装置１４と静止対象装置とのうち、少なくともいずれか一方には、較正用移動装置２２が配置されており、較正用移動装置２２によって、撮像装置１４と静止対象装置との間は、較正移動方向に相対移動するようにされている。
ここでは、撮像装置１４が、静止対象装置に対して、較正移動方向に移動されるようになっている。
【００７１】
この真空装置１０では、傾き角度θと、傾き方向と、境界線６1、６2の像の中心点９1、９2間の距離及び位置関係と、撮像装置１４と較正基板２６ｃとの間の相対位置と、の関係は、上述したように、予め測定されており、制御装置２０に設けられた記憶装置１９に記憶されている。
【００７２】
そして、メンテナンス作業等により、撮像装置１４と静止対象装置との間の相対位置が変化した場合は、上述したように、境界線６1、６2の像の中心点９1、９2間の距離及び位置関係と、撮像装置１４と較正基板２６ｃとの間の相対位置とを、較正マーク３０ｃの撮像結果から測定し、傾き角度θと傾き方向とを求め、較正用移動装置２２を動作させ、撮像装置１４と静止対象装置との間を相対的に回転移動させ、傾き角度θをゼロにする。
【００７３】
このように、境界線６1、６2の両方から成る較正マーク３０ｃが角度を較正するための角度較正マークにされているのに対し、境界線６1、６2の一方又は両方が位置較正マークとされており、較正用移動装置２２によって、マスク配置部２３と基板配置部２５の間が相対移動されながら、撮像装置１４によって位置較正マークが撮像され、その像の大きさの極値(ここでは、半径や直径の極値)が移動量と関連づけて測定され、極値となったときの位置較正マークと撮像装置１４との間の距離が求められると、その距離は、撮像装置１４と合焦面３５との間の距離であるから、合焦面３５の撮像装置１４に対する位置が分かり、合焦面３５を中心にして、基板配置部２３上の基板アラインメントマーク４５と、マスク配置部２５上のマスクアラインメントマーク４１とが、被写界深度の範囲内に位置するように、位置合わせを行うときのマスク配置部２５と基板配置部２３の位置を設定する。
合焦面３５の位置と、位置較正マークの像の大きさと、移動量とから、被写界深度の範囲を求めることもできる。
【００７４】
なお、白部３１ａが黒部３２ａを取り囲む円形の境界線６ａ(図６(ａ))と、黒部３１ｂが白部３２ｂを取り囲む円形の境界線６ｂ(図６(ｂ))とが示されていたが、合焦面３５の位置を求める位置較正マークには、大きさの極値を求めることができる境界線であれば、その形状は円形に限定されるものではなく、例えば、十字形状や、正方形形状であってもよい。
【００７５】
また、角度較正マークについても、角度較正マークを配置面と垂直な較正移動方向に移動させれば、二個の境界線の中心が位置している状態を形成でき、上記のように、傾き角度θと、傾き方向と、境界線６1、６2の像の中心点間の距離及び位置関係と、撮像装置１４と較正基板２６ｃとの間の相対位置と、相対移動量とを測定することで、傾き角度θの値と傾き方向とを求めることができる。例えば、角度較正マークや位置較正マークには、十字形状や、正方形形状を用いることができる。
【００７６】
なお、上記例では、角度較正や位置較正の際に、静止対象装置を静止させ、較正用移動装置２２によって撮像装置１４を移動させたが、撮像装置１４を静止させ、静止対象装置を移動させるようにしてもよい。
【００７７】
なお、上記実施例では、一台の撮像装置１４を用いていたが、二箇所に配置された較正マーク３０ｃ、基板アラインメントマーク４５とマスクアラインメントマーク４１とを、二台の撮像装置１４で撮像し、二個の撮像結果からそれぞれ傾き角度θや傾き方向を求め、また、二個の撮像装置１４の撮像結果から、位置合わせを行うようにすることができる。
【００７８】
上記実施例では、一個の境界線６1又は６2の大きさが極値を示したときの撮像装置１４に対する位置較正マークの位置を、合焦面の位置としたが、外側白の境界線６1と内側白の境界線６2の両方で極値から合焦面の位置を別々に求め、その二個の位置の間を合焦面の位置としてもよい。例えば二個の合焦面の位置を平均して合焦面の位置とすることができる。
【符号の説明】
【００７９】
３……光軸
６ａ、６ｂ、６1、６2……境界線
１０……真空装置
１１……真空槽(筐体)
１６……成膜源
２０……制御装置
２１……アラインメント用移動装置
２２……較正用移動装置
２５……マスク配置部
２３……基板配置部
２６ａ、２６ｂ、２６ｃ……較正基板
２７……処理基板
２８……マスク
３０ｃ……較正マーク
３０ｃ’……較正マークの像
３１ｂ、３２ａ、３２1……黒部
３１ａ、３１ｃ、３２ｂ、３２2……白部
３５……合焦面
４１……マスクアラインメントマーク
４５……基板アラインメントマーク
【図１】
2015010900.tif 000003
【図２】
2015010900.tif 000004
【図３】
2015010900.tif 000005
【図４】
2015010900.tif 000006
【図５】
2015010900.tif 000007
【図６】
2015010900.tif 000008
【図７】
2015010900.tif 000009
【図８】
2015010900.tif 000010
【図９】
2015010900.tif 000011